(57)【要約】【課題】異なるスタジオや舞台等で同様の照明演出を容易に行うことができる照明制御システム、照明制御方法および照明制御プログラムを提供すること。【解決手段】実施形態の一例に係る照明制御システムは、第１受付部と、第２受付部と、制御部とを有する。第１受付部は、第１施設に設置された照明機器の照度を示す照度情報を受け付ける。第２受付部は、第１施設で照明された光の色彩に対応する色彩を示す色彩情報を受け付ける。制御部は、色彩情報が示す色彩の光を照度情報が示す照度の再現操作で出力するように、第２施設に設置された照明機器を制御する。【選択図】図２
2016149326.tif 000002
【特許請求の範囲】
【請求項１】
第１施設に設置された照明機器の照度を示す照度情報を受け付ける第１受付部と；
前記第１施設で照明された光の色彩に対応する色彩を示す色彩情報を受け付ける第２受付部と；
前記色彩情報が示す色彩の光を前記照度情報が示す照度の再現操作で出力するように、第２施設に設置された照明機器を制御する制御部と；
を有することを特徴とする照明制御システム。
【請求項２】
前記第１受付部は、前記照度情報として、前記第１施設に設置された照明機器に対する操作を受け付ける第１操作部と、当該照明機器の照度とを対応付けた情報を受付け、
前記第２受付部は、前記色彩情報として、前記第２施設に設置された照明機器に対する操作を受け付ける第２操作部と、当該照明機器が照明する光の色彩とを対応付けた情報を受付け、
前記制御部は、前記第２施設に設置された照明機器の照度を、当該照明機器に対する操作を受け付ける第２操作部に対応した第１操作部に対応付けられた照度に設定し、当該第２施設に設置された照明機器が照明する色彩を、当該照明機器に対する操作を受け付ける第２操作部に対応付けられた色彩に設定する
ことを特徴とする請求項１に記載の照明制御システム。
【請求項３】
前記第２受付部は、前記色彩情報として、前記第２施設に設置された照明機器の照度を操作する操作部と、当該照明機器が照明する光の色彩とを対応付けた情報を受け付ける
ことを特徴とする請求項２に記載の照明制御システム。
【請求項４】
前記第１受付部は、照明する光に色彩を付すフィルタが設置された前記照明機器を制御する制御装置から取得された前記照度情報を受付け、
前記第２受付部は、前記第１施設に設置されたフィルタが光に付す色彩に対応する色彩を示した色彩情報を受け付ける
ことを特徴とする請求項１〜３のいずれか１つに記載の照明制御システム。
【請求項５】
照明制御装置が実行する照明制御方法であって、
第１施設に設置された照明機器の照度を示す照度情報を受け付ける第１受付ステップと；
前記第１施設で照明された光の色彩に対応する色彩を示す色彩情報を受け付ける第２受付ステップと；
前記色彩情報が示す色彩の光を前記照度情報が示す照度の再現操作で出力するように、第２施設に設置された照明機器を制御する制御ステップと；
を含むことを特徴とする照明制御方法。
【請求項６】
コンピュータに、
第１施設に設置された照明機器の照度を示す照度情報を受け付ける第１受付手順と；
前記第１施設で照明された光の色彩に対応する色彩を示す色彩情報を受け付ける第２受付手順と；
前記色彩情報が示す色彩の光を前記照度情報が示す照度の再現操作で出力するように、第２施設に設置された照明機器を制御する制御手順と；
を実行させることを特徴とする照明制御プログラム。
【発明の詳細な説明】
【技術分野】
【０００１】
本発明の実施形態は、照明制御システム、照明制御方法および照明制御プログラムに関する。
【背景技術】
【０００２】
従来、スタジオや舞台等は、複数の照明機器により様々な照明演出がなされている。例えば、色彩を付した照明演出を行うため、演出内容に応じた色のカラーフィルタをハロゲンランプ等の各照明機器に装着し、照明制御装置が各照明機器を遠隔制御する照明制御システムが導入されている。
【０００３】
このような、ハロゲンランプ等の照明機器を用いた照明制御システムでは、複数のスタジオや舞台等で同様の照明演出を行う場合、移行元と同様のカラーフィルタを移行先の各照明機器に対して装着すれば、移行元と同様の操作を行うだけで照明演出を再現できる。一方で、ＬＥＤ照明など、色彩を制御できる照明機器の導入が進んでいるが、このような照明機器を制御する照明制御システムでは、各照明機器の色彩を予め設定し、設定内容を記憶し、記憶した設定内容を再現するように各照明機器を制御する。このため、照明システムごとに設定を行わなければならず、複数のスタジオや舞台等で同様の照明演出を容易に行えなかった。
【先行技術文献】
【特許文献】
【０００４】
【特許文献１】実公平６−９３６２号公報
【発明の概要】
【発明が解決しようとする課題】
【０００５】
本発明が解決しようとする課題は、異なるスタジオや舞台等で同様の照明演出を容易に行える照明制御システム、照明制御方法および照明制御プログラムを提供することである。
【課題を解決するための手段】
【０００６】
実施形態の一例に係る照明制御システムは、第１受付部と、第２受付部と、制御部とを有する。第１受付部は、第１施設に設置された照明機器の照度を示す照度情報を受け付ける。第２受付部は、第１施設で照明された光の色彩に対応する色彩を示す色彩情報を受け付ける。制御部は、色彩情報が示す色彩の光を照度情報が示す照度の再現操作で出力するように、第２施設に設置された照明機器を制御する。
【発明の効果】
【０００７】
実施形態の一例に係る照明制御システム、照明制御方法および照明制御プログラムによれば、異なるスタジオや舞台等で同様の照明演出を容易に行うことができる。
【図面の簡単な説明】
【０００８】
【図１】図１は、実施形態に係る照明制御システムの構成の一例を示すブロック図である。
【図２】図２は、実施例１に係る照明制御システムが実行する再現処理の一例を説明する説明図である。
【図３】図３は、実施形態に係る各装置の機能構成の一例を示すブロック図である。
【図４】図４は、実施形態に係る制御管理テーブルに格納された情報の一例を示す図である。
【図５】図５は、実施形態に係る色彩情報テーブルに格納された情報の一例を示す図である。
【図６】図６は、実施形態に係る照度情報テーブルに格納された情報の一例を示す図である。
【図７】図７は、色彩指定画面の一例を示す説明図である。
【図８】図８は、実施形態に係る照明制御装置における再現処理の一例を示すフローチャートである。
【発明を実施するための形態】
【０００９】
以下、図面を参照して、実施形態に係る照明制御システム、照明制御方法および照明制御プログラムを説明する。実施形態において同一の機能を有する構成には同一の符号を付し、重複する説明は省略する。なお、以下の実施形態で説明する照明制御システム、照明制御方法および照明制御プログラムは、一例を示すに過ぎず、実施形態を限定するものではない。例えば、以下の実施形態では、照明制御システムは、照明機器以外にも、任意の舞台装置の制御にも適用することができる。なお、以下の各実施形態は、矛盾しない範囲内で適宜組みあわせてもよい。
【００１０】
以下の実施形態に係る照明制御システム１は、第１施設に設置された照明機器の照度を示す照度情報、および第１施設で照明された光の色彩に対応する色彩を示す色彩情報とを受け付ける受付部５５と、色彩情報が示す色彩の光を照度情報が示す照度の再現操作で出力するように、第２施設に設置された照明機器（例えば、照明機器１０−１〜１０−ｎ）を制御する制御部５６とを有する。
【００１１】
また、以下の実施形態に係る照明制御システム１は、照度情報として、第１施設に設置された照明機器に対する操作を受け付ける第１操作部（例えば、フェーダ）と、第１施設に設置された照明機器の照度とを対応付けた情報を受付け、色彩情報として、照明機器１０に対する操作を受け付ける第２操作部（例えば、フェーダ５２−１〜５２−ｎ）と、照明機器１０が照明する光の色彩とを対応付けた情報を受け付ける。そして、照明制御システム１は、照明機器１０の照度を、照明機器１０に対する操作を受け付けるフェーダ５２−１〜５２−ｎに対応する第１操作部と対応付けられた照度に設定し、照明機器１０の色彩を、照明機器１０に対する操作を受け付けるフェーダ５２−１〜５２−ｎに対応付けられた色彩に設定する。
【００１２】
また、以下の実施形態に係る照明制御システム１は、色彩情報として、フェーダ５２−１−５２−ｎと、照明機器１０が照明する光の色彩とを対応付けた情報を受け付ける。
【００１３】
また、以下の実施形態に係る照明制御システム１は、光に色彩を付すカラーフィルタが設置された照明機器を制御する制御装置から取得された照度情報を受付け、カラーフィルタが光に付す色彩に対応する色彩を示した色彩情報を受け付ける。
【００１４】
［実施形態］
（実施形態に係る照明制御システムの構成）
図１は、実施形態に係る照明制御システムの構成の一例を示すブロック図である。実施形態に係る照明制御システム１は、複数の照明機器１０（１０−１〜１０−ｎ）、複数のバトン装置２０（２０−１〜２０−ｎ）、ハブ３０、電源装置４０、照明制御装置５０を有し、スタジオや舞台等の施設に設置されている。なお、照明制御システム１に接続される照明機器およびバトン装置の種別や数などは任意に設定できる。
【００１５】
照明制御システム１において、照明機器は、ＤＭＸ規格に従った通信プロトコルや、ＤＭＸを拡張したＲＤＭ（Remote  Device  Management）規格に沿った通信方式により、バトン装置２０や照明制御装置５０と双方向通信が可能であり、バトン装置２０に接続される。また、照明機器は、ＬＥＤ（Light  Emitting  Diodes）等の半導体発光素子を有し、制御信号に従って、照度、範囲、色彩等を変化させることで、スタジオや舞台等の照明演出を行う。
【００１６】
バトン装置２０−１〜２０−ｎは、スタジオや舞台等の任意の空間に設置された、照明機器１０−１〜１０−ｎを吊り下げ可能な装置であり、イーサネット（登録商標）等の有線または無線によるネットワークによって、双方向通信が可能な態様でハブ３０と接続される。以下の説明では、バトン装置２０−２〜２０−ｎにもバトン装置２０−１と同様に照明機器１０−１〜１０−ｎが吊り下げられているものとして、説明を省略する。
【００１７】
ハブ３０は、イーサネット（登録商標）等の有線または無線によるネットワークによって、照明制御装置５０と双方向通信が可能な態様で接続され、照明制御装置５０と各バトン装置２０−１〜２０−ｎとの通信を中継する中継器である。
【００１８】
電源装置４０は、バトン装置２０−１〜２０−ｎを介して、各照明機器１０−１〜１０−ｎに電力を供給する電源装置であり、例えば、電圧変換の機能、ブレーカー、ＵＰＳ（Uninterruptible  Power  Supply）等の機能を有する。
【００１９】
照明制御装置５０は、例えば、オペレータから照明機器１０−１に対する操作指令を受け付けると、照明機器１０−１に付与された制御アドレスを含む制御情報を生成し、ハブ３０を介してバトン装置２０−１に制御情報を送信する。このような場合、バトン装置２０−１は、制御情報をＲＤＭ規格に沿った制御信号（例えば、調光信号等）に変換し、制御アドレスが示す照明機器１０−１に対して制御信号を出力することで、照明機器１０−１の制御を行う。同様に、照明制御装置５０は、制御アドレスを用いて、照明機器１０−１〜１０−ｎを遠隔制御する。
【００２０】
（実施形態に係る照明制御システムが実行する再現処理）
ここで、図２は、実施例１に係る照明制御システムが実行する再現処理の一例を説明する説明図である。例えば、図２に示す第１施設には、ハロゲンランプ等の照明機器を制御する照明制御装置６０が設置されている。このような第１施設で色彩を付した照明態様を実現するためには、図２中（ａ）〜（ｃ）に示すように、各照明機器に所定のカラーフィルタを付し、図２中（ｄ）に示すように、照明制御装置６０が各照明機器の照度を制御することで、図２中（ｅ）に示すように、色彩を付した照明演出を実現する。このため、第１施設と同様にハロゲンランプ等の照明機器が設置された施設では、各照明機器に対し、第１施設と同じようにカラーフィルタを付し、各照明機器の照度を制御するためのフェーダと照度とを対応付けた照度情報に従って各照明機器を制御することで、第１施設での照明態様を再現できる。
【００２１】
一方で、図２に示す第２施設には、ＬＥＤ照明等、色彩を制御可能な照明機器１０−１〜１０−３が設置されている。このような第２施設において、照明機器１０−１〜１０−３を制御し、第１施設における照明態様を再現するには、色彩の情報が必要になり、そのままでは適切に第１施設での照明態様を再現できない。
【００２２】
そこで、上述した照明制御装置５０は、照明制御装置６０から、第１施設に設置された照明機器の照度を示す照度情報を受け付けるとともに、照度情報とは別に、第１施設で照明された光の色彩を示す色彩情報を受付け、色彩情報が示す色彩の光を照度情報が示す照度の再現操作で出力するように照明機器１０−１〜１０−３を制御することで、第１施設における照明態様を第２施設で再現する。
【００２３】
例えば、照明制御装置５０は、図２中（ｆ）に示すように、照明制御装置６０が有するフェーダを識別するフェーダ番号と、そのフェーダにより操作される照明機器の照度とを対応付けた照度情報を受け付ける。かかる照度情報は、オペレータによる入力、ＵＳＢ（Universal  Serial  Bus）メモリ等の持ち運び可能な記憶媒体、及びインターネット等のネットワーク等を介して、照明制御装置５０に入力される。
【００２４】
また、例えば、照明制御装置５０は、図２中（ｇ）に示すように、オペレータから照明制御装置５０が有するフェーダと色彩とを対応付けた色彩情報を受け付ける。このような色彩情報には、例えば、色彩をＲＧＢ（Red  Green  Blue）やＹＭＣ（Yellow  Magenta  Cyan）で表した数値等とフェーダ番号とが対応付けられる。より具体的な例を説明すると、図２中（ａ）に示すカラーフィルタが付された第１施設の照明機器を、第２施設の照明機器１０−１で再現する場合は、照明機器１０−１への操作を受け付けるフェーダのフェーダ番号と、図２中（ａ）に示すカラーフィルタと同様の色彩とが対応付けられる。
【００２５】
そして、照明制御装置５０は、図２中（ｈ）に示すように、各照明機器１０−１〜１０−３の照度と彩度とを、各照明機器１０−１〜１０−３に対する操作を受け付けるフェーダのフェーダ番号と対応付けられた照度と色彩とに設定する。例えば、照明制御装置５０は、同一のフェーダ番号と対応付けられた照度と色彩とを抽出し、そのフェーダ番号が示すフェーダにより操作される照明機器の照度と色彩とを、抽出した照度と色彩とに設定する。
【００２６】
この場合、各照明機器１０−１〜１０−３は、図２中（ｉ）〜（ｋ）に示すように、図２中（ａ）〜（ｃ）に示したカラーフィルタが付された各照明機器と同様の色彩で照明演出を行う。この結果、図２中（ｌ）に示すように、照明制御システム１は、カラーフィルタが設置された第１施設に設置された照明機器による照明態様を第２施設に設置された照明機器１０−１〜１０−３で再現することができる。
【００２７】
（実施形態に係る各装置の機能構成）
続いて、図３を用いて、実施形態に係る照明機器１０、バトン装置２０および照明制御装置の機能構成の一例を説明する。図３は、実施形態に係る各装置の機能構成の一例を示すブロック図である。なお、以下の説明では、照明機器１０−２〜１０−ｎは、照明機器１０と同様の構成および機能を発揮するものとして、説明を省略する。
【００２８】
まず、照明機器１０の構成について説明する。実施形態に係る照明機器１０は、記憶部１３、制御部１４、光源部１５を有する。
【００２９】
記憶部１３は、照明機器１０が有する不揮発性のメモリであり、照明機器１０の照明機器情報が登録される。ここで照明機器情報としては、例えば、製造会社名、機器型番、ＵＩＤ（Unique  Identifier）、ＤＭＸアドレス、点灯時間、通電時間、質量、パーソナリティー設定といった情報が含まれる。
【００３０】
ここで、製造会社名とは、照明機器１０の製造会社名である。機器型番とは、製造会社によって定められた照明機器１０の型番である。ＵＩＤとは、ＤＭＸ規格で用いられる装置ごとに固有の番号であり、各照明機器に予め付与される１２桁の１６進数で表される情報である。また、ＤＭＸアドレスとは、ＤＭＸのデータリンク上におけるアドレス、すなわち、照明制御装置が照明機器１０を制御する際に用いる制御アドレスである。例えば、照明機器１０−１には、制御アドレス「１１」が付与され、照明機器１０−２には、制御アドレス「１２」が付与されているものとする。
【００３１】
また、点灯時間とは、照明機器１０の光源を点灯させた時間の合計を示す情報である。また、通電時間とは、照明機器１０に電力が供給された時間の合計を示す情報である。また、質量とは、照明機器１０の質量を示す情報である。また、パーソナリティー設定とは、照明機器１０の動作のモードを示す情報である。
【００３２】
制御部１４は、照明の制御を行う。例えば、バトン装置２０−１は、照明制御装置から照明機器１０−１の制御アドレスとともに制御情報を受信すると、受信した制御情報を制御信号に変換し、制御アドレスが示す照明機器１０−１に出力する。このような場合、制御部１４は、バトン装置２０−１から受信した制御信号に従って、光源部１５の照度や照明する光の色彩を制御する。
【００３３】
光源部１５は、照明機器１０が有する光源であり、制御部１４の制御に従って、照度、照明する範囲、色彩等を制御可能なＬＥＤ等の半導体発光素子により実現される。
【００３４】
次に、バトン装置２０の構成について説明する。実施形態に係るバトン装置２０は、通信部２３、及び複数のポート２４〜２６を有する。なお、バトン装置２０は、ポート２４〜２６に限らず、任意の数のポートを有していてもよい。
【００３５】
通信部２３は、ハブ３０を介して、照明制御装置５０との間で情報の送受信を行う通信装置であり、例えば、ＮＩＣ（Network  Interface  Card）等の通信装置によって実現される。また、各ポート２４〜２６は、各照明機器を接続するためのポートであり、例えば、ＲＤＭ規格に従って信号を送受信するためのコネクタである。
【００３６】
このような構成の元、照明制御装置５０は、例えば、照明機器１０−１の制御を行う場合は、照明機器１０−１に付与された制御アドレスを含む制御情報を送信する。この場合、通信部２３は、制御情報を受信すると、受信した制御情報に含まれる制御アドレスが示す照明機器１０−１を特定し、制御情報を制御信号に変換し、特定した照明機器１０−１が接続されたポート２４から制御信号を出力する。
【００３７】
次に、照明制御装置５０の構成について説明する。実施形態に係る照明制御装置５０は、通信部５１、操作部５２、記憶部５３、表示部５４、受付部５５、制御部５６を有する。通信部５１は、ハブ３０及びバトン装置２０を介して、照明機器との間で情報の送受信を行い、例えば、ＮＩＣ等の通信装置によって実現される。
【００３８】
操作部５２は、各照明機器に対する操作を受け付けるものであり、例えば、各照明機器１０−１〜１０−ｎの照度を操作するための複数のフェーダ５２−１〜５２−ｎを有する。各フェーダ５２−１〜５２−ｎには、それぞれ個別のフェーダ番号が付与されており、例えば、各照明機器１０−１〜１０−ｎの照度を個別に変更する操作を受け付けるプリセットフェーダである。より具体的な例を説明すると、フェーダ５２−１には、フェーダ番号「Ｆ１」が付与されており、フェーダ５２−２には、フェーダ番号「Ｆ２」が付与されている。なお、操作部５２はタッチパネル等を利用して構成することもできる。
【００３９】
記憶部５３は、ＨＤＤ（Hard  Disk  Drive）、ＳＳＤ（Solid  State  Drive）、フラッシュメモリ、ＲＡＭ（Random  Access  Memory）等の記憶装置により実現されるものであり、制御管理テーブル５３ａ、色彩情報テーブル５３ｂ、照度情報テーブル５３ｃを記憶する。
【００４０】
制御管理テーブル５３ａには、各フェーダ５２−１〜５２−ｎと制御アドレスとの対応が格納される。例えば、図４は、実施形態に係る制御管理テーブルに格納された情報の一例を示す図である。図４に示す例では、制御管理テーブル５３ａには、フェーダ番号と制御アドレスとが対応付けて登録されている。例えば、図４に示す例では、各フェーダ番号「Ｆ１」〜「Ｆ６」に制御アドレス「１１」〜「１６」が対応付けて登録されている。
【００４１】
ここで、制御アドレス「１１」は、照明機器１０−１の制御アドレスであり、制御アドレス「１２」は、照明機器１０−２の制御アドレスである。また、フェーダ番号「Ｆ１」は、フェーダ５２−１のフェーダ番号であり、フェーダ番号「Ｆ２」は、フェーダ５２−２のフェーダ番号である。このため、フェーダ５２−１は、照明機器１０−１の照度や彩度を変更する操作を受付け、フェーダ５２−２は、照明機器１０−２の照度や照度を変更する操作を受け付けることとなる。
【００４２】
なお、図４に示す例では、対応付けられたフェーダ番号と制御アドレスとに異なる値が設定されていたが、実施形態はこれに限定されるものではない。例えば、１つのフェーダ番号に対して複数の制御アドレスを対応付けることにより、複数の制御アドレスに対して共通の制御信号を与えることもできる。
【００４３】
図３に戻り、色彩情報テーブル５３ｂには、照明機器が照明する光の色彩とフェーダとを対応付けた色彩情報が格納される。例えば、図５は、実施形態に係る色彩情報テーブルに格納された情報の一例を示す図である。図５に示す例では、色彩情報テーブル５３ｂには、フェーダ番号と、色彩を示す値であるＲＧＢとを対応付けた色彩情報が、再現する照明態様（以下、キューと記載する。）ごとに格納される。
【００４４】
ここで、色彩情報テーブル５３ｂには、照明の色彩を赤（Red）、緑（Green）、青（Blue）のそれぞれの強度を示す値がＲＧＢとして登録される。例えば、フェーダ番号Ｆ１と対応付けられたＲＧＢ「Ｒ９５，Ｇ６０，Ｂ４０」は、赤色光の強度を「９５％」とし、緑色光の強度を「６０％」とし、青色光の強度を「４０％」とするように、フェーダ５２−１が操作する照明機器を制御する旨を示す。
【００４５】
図３に戻り、照度情報テーブル５３ｃには、照明機器の照度とフェーダとを対応付けた照度情報が格納される。例えば、図６は、実施形態に係る照度情報テーブルに格納された情報の一例を示す図である。図６に示す例では、照度情報テーブル５３ｃには、フェーダ番号と、照度を示す値とを対応付けた照度情報が、キューごとに格納される。
【００４６】
ここで、照度情報を示す値は、１６進数で２桁の値であり、消灯状態で「００」、最大出力での点灯状態で「ＦＦ」となる値である。例えば、フェーダ番号「Ｆ２」と対応付けられた照度「ＦＦ」は、フェーダ５２−２が操作する照明機器の照度を最大出力にする旨を示す。
【００４７】
図３に戻り説明を続ける。表示部５４は、後述する制御部５６による制御に従い、各フェーダ５２−１〜５２−ｎに対応付ける色彩の指定を受け付ける色彩受付画面の表示を行うものであり、例えば、液晶モニタやタッチパネル等により実現される。なお、表示部５４が表示する色彩受付画面の一例については、後述する。なお、表示部５４は、色彩受付画面だけではなく、例えば、照明制御装置に接続された各照明機器の設置位置、各照明機器に設定された制御アドレス、各照明機器に対する操作を受け付けるフェーダ５２−１〜５２−ｎの情報等を表示してもよい。
【００４８】
受付部５５は、色彩情報や照度情報を受け付けるものであり、例えば、キーボード、マウス、タッチパネル、ＵＳＢメモリ等の記憶装置を介し、表示部５４が表示する色彩受付画面を介してオペレータが入力した色彩情報や照度情報をキューごとに受け付ける。
【００４９】
制御部５６は、受付部５５が受け付けた色彩情報や照度情報に基づいて、各照明機器１０−１〜１０−ｎを制御し、第１施設での照明態様を第２施設で再現するものであり、例えば、ＣＰＵ（Central  Processing  Unit）等の演算処理装置により実現される。
【００５０】
以下、制御部５６が実行する処理の一例を説明する。例えば、制御部５６は、表示部５４を制御し、色彩受付画面を表示させる。このような場合、オペレータは、色彩受付画面上で、キューごとに各フェーダ５２−１〜５２−ｎと色彩との対応づけを行う。そして制御部５６は、オペレータによる対応付けの結果、受付部５５がキューごとに色彩情報を受け付けると、かかる色彩情報を色彩情報テーブル５３ｂに格納する。
【００５１】
また、受付部５５は、ＵＳＢメモリ等に記録されたキューごとの照度情報を読み出すと、読み出した照度情報を制御部５６に出力する。かかる場合、制御部５６は、照度情報を照度情報テーブル５３ｃに格納する。
【００５２】
ここで、オペレータは、受付部５５等を介して再現するキューを指定する。かかる場合、制御部５６は、指定されたキューの色彩情報と照度情報とを記憶部５３から読み出し、読み出した色彩情報と照度情報とに従って各照明機器１０−１〜１０−ｎを制御する。例えば、制御部５６は、色彩情報にフェーダ番号「Ｆ２」とＲＧＢ「Ｒ８５，Ｇ９５，Ｂ０」とが対応付けられ、照度情報にフェーダ番号「Ｆ２」と照度「ＦＦ」とが対応付けられている場合、制御管理テーブル５３ａからフェーダ番号「Ｆ２」と対応付けられた制御アドレス「１２」を読み出し、読み出した制御アドレス「１２」が付与された照明機器１０−２に対し、色彩を「Ｒ８５，Ｇ９５，Ｂ０」とし、照度を「ＦＦ」とする旨の制御情報を送信する。
【００５３】
次に、図７を用いて、照明制御装置５０が表示する色彩指定画面の一例を説明する。図７は、色彩指定画面の一例を示す説明図である。例えば、制御部５６は、色彩情報を受け付ける場合、図７に例示する色彩指定画面１００を表示部５４に表示させる。
【００５４】
ここで、色彩指定画面１００には、例えば、各フェーダ５２−１〜５２−ｎと対応付ける色彩を、色彩の色番号とともに表示するカラーパレット１０１、色彩を対応付けるフェーダを選択するためのフェーダ選択画面１０２、選択されたフェーダの情報を表示する情報表示画面１０３とが含まれる。かかる色彩指定画面１００が表示された場合、例えば、オペレータは、色彩を対応付けるフェーダとしてフェーダ番号「Ｆ１」が付されたフェーダをフェーダ選択画面１０２から選択し、選択したフェーダに対応付ける色彩をカラーパレットから選択する。かかる場合、制御部５６は、フェーダ５２−１と選択された色彩とを対応付けた色彩情報を色彩情報テーブル５３ｂに格納し、フェーダ５２−１が現在指示している照度のレベル（Ｄｉｍ）を示すバーと、フェーダ５２−１に設定された色彩のＲＧＢのレベルを示すバーとを配置した情報表示画面１０３を表示させる。
【００５５】
上述した照明制御装置は、ＣＰＵ（Central  Processing  Unit）、ＲＡＭ（Random  Access  Memory），ＥＥＰＲＯＭ，フラッシュメモリなどを有するコンピュータが、所定の記録媒体に登録された制御プログラムを読み取り、読み取った制御プログラムを実行することにより、実現されてもよい。
【００５６】
（実施形態に係る再現処理）
図８は、実施形態に係る照明制御装置における再現処理の一例を示すフローチャートである。例えば、制御部５６は、オペレータから色彩情報を受け付けると（ステップＳ１０１）、受け付けた色彩情報をキューごとに色彩情報テーブル５３ｂに格納する（ステップＳ１０２）。なお、かかる色彩情報は、各照明機器１０−１〜１０−ｎの設置位置や、照明する光の色彩を指定した吊り込み図に基づいて、オペレータにより入力される。
【００５７】
また、制御部５６は、照度情報を受け付けると（ステップＳ１０３）、受け付けた照度情報をキューごとに照度情報テーブル５３ｃに格納する（ステップＳ１０４）。なお、かかる照度情報は、オペレータが吊り込み図に基づいて入力してもよく、第１施設の照明制御装置６０が使用した照度情報をそのまま入力してもよい。
【００５８】
そして、制御部５６は、キューを受け付けたか否かを判定し（ステップＳ１０５）、キューを受け付けた場合は（ステップＳ１０５：Ｙｅｓ）、受け付けたキューに対応する照度情報と色彩情報とを読み出し（ステップＳ１０６）、読み出した照明情報と色彩情報とに従って各照明機器１０−１〜１０−ｎを制御し（ステップＳ１０７）、処理を終了する。一方で、制御部５６は、キューを受け付けていない場合は（ステップＳ１０５：Ｎｏ）、ステップＳ１０５を再度実行する。
【００５９】
（オペレータの操作に応じた再現処理について）
上述した実施形態では、照明制御装置５０は、キューごとに照度情報と色彩情報とを受け付け、指定されたキューの照明態様を再現した。しかしながら、実施形態は、これに限定されるものではない。例えば、照明制御装置５０は、オペレータの操作により入力された照度と色彩情報とに基づいて、各照明機器１０−１〜１０−ｎを制御してもよい。
【００６０】
例えば、オペレータは、フェーダ番号「Ｆ１」とＲＧＢ「Ｒ９５，Ｇ６０，Ｂ４０」とを対応付け、フェーダ番号「Ｆ２」とＲＧＢ「Ｒ８５，Ｇ９５，Ｂ０」とを対応付けた色彩情報を入力する。このような場合、制御部５６は、フェーダ５２−１が操作された場合は、ＲＧＢ「Ｒ９５，Ｇ６０，Ｂ４０」が示す色彩の光を操作内容に従う照度で出力するよう照明機器１０−１を制御し、フェーダ５２−２が操作された場合は、ＲＧＢ「Ｒ８５，Ｇ９５，Ｂ０」が示す色彩の光を操作内容に従う照度で出力するよう照明機器１０−２を制御する。
【００６１】
この結果、オペレータは、フェーダ５２−１を操作した場合は、ＲＧＢ「Ｒ９５，Ｇ６０，Ｂ４０」が示す色彩の照明演出を行い、フェーダ５２−２を操作した場合には、ＲＧＢ「Ｒ８５，Ｇ９５，Ｂ０」が示す色彩の照明演出を行い、フェーダ５２−１及びフェーダ５２−２を同時に操作した場合には、「Ｒ９５，Ｇ６０，Ｂ４０」が示す色彩と「Ｒ８５，Ｇ９５，Ｂ０」が示す色彩との混色で、照明演出を行うことができる。このように、照明制御装置５０は、第１施設と同様の操作方法で、第１施設の照明態様を第２施設で再現することができる。
【００６２】
また、オペレータは、フェーダ５２−１のフェーダ番号「Ｆ１」とフェーダ５２−２のフェーダ番号「Ｆ２」とに、照明機器１０−１に付与された制御アドレス「１１」を対応付けてもよい。このような場合、制御部５６は、フェーダ５２−１が操作されると、照明機器１０−１の色彩を「Ｒ９５，Ｇ６０，Ｂ４０」に設定し、フェーダ５２−２が操作されると、照明機器１０−１の色彩を「Ｒ８５，Ｇ９５，Ｂ０」に設定し、フェーダ５２−１及びフェーダ５２−２が同時に操作された場合は、「Ｒ９５，Ｇ６０，Ｂ４０」が示す色彩と「Ｒ８５，Ｇ９５，Ｂ０」が示す色彩との混色に設定する。このような設定を行った場合にも、オペレータは、第１施設と同様の操作方法で、第１施設の照明態様を第２施設で再現することができる。
【００６３】
（照明機器と制御アドレスとフェーダ番号との対応について）
上述した実施形態では、照明制御装置５０は、フェーダ番号と制御アドレスとを対応付けた制御管理テーブル５３ａに従って、各フェーダ５２−１〜５２−ｎを制御した。しかしながら、実施形態は、これに限定されるものではない。例えば、制御管理テーブル５３ａに登録された内容は、オペレータの指示に従って任意の変更が可能である。
【００６４】
（色彩情報と照度情報の出力について）
上述した照明制御装置５０は、例えば、第２施設と同様に色彩を制御可能な照明機器が設置された第３施設で照明態様を再現するために、受け付けた色彩情報を出力してもよい。また、照明制御装置５０は、色彩情報と照度情報とを用いて、フェーダ番号と色彩及び照度を対応付けた再現情報を生成し、生成した再現情報を出力してもよい。また、照明制御装置５０は、他の照明制御装置が生成した再現情報を受け付け、受け付けた再現情報に基づいて各照明機器１０−１〜１０−ｎの制御を行ってもよい。
【００６５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６６】
１  照明制御システム
１０−１〜１０−ｎ  照明機器
１３  記憶部
１４  制御部
１５  光源部
２０−１〜２０−ｎ  バトン装置
２３  通信部
２４〜２６  ポート
３０  ハブ
４０  電源装置
５０、６０  照明制御装置
５１  通信部
５２  操作部
５２−１〜５２−ｎ  フェーダ
５３  記憶部
５３ａ  制御管理テーブル
５３ｂ  色彩情報テーブル
５３ｃ  照度情報テーブル
５４  表示部
５５  受付部
５６  制御部
１００  色彩指定画面
１０１  カラーパレット
１０２  フェーダ選択画面
１０３  情報表示画面
【図１】
2016149326.tif 000003
【図２】
2016149326.tif 000004
【図３】
2016149326.tif 000005
【図４】
2016149326.tif 000006
【図５】
2016149326.tif 000007
【図６】
2016149326.tif 000008
【図７】
2016149326.tif 000009
【図８】
2016149326.tif 000010